(57)【要約】【課題】容器内に収容でき、かつ容器への着脱操作が容易な計量スプーンを提供する。【解決手段】容器に付属され、この容器に形成された突起部と嵌合する嵌合孔４０が形成され、器状の計量部２と該計量部２から延設された平板状の把持部３とを備える計量スプーン１において、前記把持部３には、その厚さ方向の一方に屈曲する屈曲部３４が形成され、前記嵌合孔４０は、前記屈曲部３４を含む領域に形成されていることよりなる。前記把持部３は、前記計量部２の開口面２２の周縁部から、前記開口面２２と略平行に延び、次いで、前記計量部２の底部２４側に向かって屈曲することが好ましく、前記嵌合孔４０は、前記把持部３の延設方向が長手とされ、前記把持部３の基端３１から先端３３に向かい漸次拡幅することが好ましい。【選択図】図１
2013083512.tif 000002
【特許請求の範囲】
【請求項１】
容器に付属され、この容器に形成された突起部と嵌合する嵌合孔が形成され、器状の計量部と該計量部から延設された平板状の把持部とを備える計量スプーンにおいて、
前記把持部には、その厚さ方向の一方に屈曲する屈曲部が形成され、
前記嵌合孔は、前記屈曲部を含む領域に形成されていることを特徴とする計量スプーン。
【請求項２】
前記把持部は、前記計量部の開口面の周縁部から、前記開口面と略平行に延び、次いで、前記計量部の底部側に向かって屈曲することを特徴とする請求項１に記載の計量スプーン。
【請求項３】
前記嵌合孔は、前記把持部の延設方向が長手とされ、前記把持部の基端から先端に向かい漸次拡幅することを特徴とする請求項１又は２に記載の計量スプーン。
【発明の詳細な説明】
【技術分野】
【０００１】
本発明は、計量スプーンに関する。
【背景技術】
【０００２】
一般に、粒状衣料用洗浄剤、自動食器洗浄機用の粒状洗浄剤、粒状の調味料等の粉粒物、液状物やペースト状物等は、容器に収納され、この容器に付属された計量スプーンで計量されて、使用に供される。容器に付属される計量スプーンは、内容物を掬い取る器状の計量部と、この計量部に延設された把持部とを備え、計量部が内容物の使用量に応じた容量とされたものである。
計量スプーンの使用方法は、容器内の内容物を計量部で掬い取って計量し、計量した内容物を洗濯機や自動食器洗浄機等に投入するものである。内容物を計量する際には、計量部に形成された計量線に合わせて内容物を掬い取ったり、計量部の開口縁部で摺り切って、所望の量に調整する。
【０００３】
計量スプーンは、内容物上に載置され収納されると、内容物に埋没したりして、把持部に内容物が付着してしまう。このため、容器内から計量スプーンを取り出す際に、内容物が手指に付着するという問題がある。
【０００４】
こうした問題に対し、容器に係止又は嵌着できる計量スプーンの発明が提案されている。
例えば、柄の厚み方向に貫通する貫通孔を内側に有する枠状部と、枠状部からその内方に向かって突出する突片とを有し、柄の平面視において、突片の突出方向における突片の先端及び突片の突出方向に沿う突片の両側縁部のそれぞれと枠状部との間に隙間を有しており、突片と、突片を挟んでその両側に位置する柄の一部分とが、挟み込み係止部として機能する計量スプーンが提案されている（例えば、特許文献１）。
また、突起が形成された面に着脱自在に結合付属され、柄部に穿設され、突起を受容嵌着する嵌着透孔及び嵌着透孔に連通する補助透孔を備える付属スプーンが提案されている（例えば、特許文献２）。
あるいは、取っ手部がクランク状に伸びている計量スプーンが提案されている（例えば、特許文献３）。
【先行技術文献】
【特許文献】
【０００５】
【特許文献１】特開２０１０−２５８２７号公報
【特許文献２】実開昭５４−１６８２４９号公報
【特許文献３】登録実用新案第３１５７５７２号公報
【発明の概要】
【発明が解決しようとする課題】
【０００６】
しかしながら、特許文献１〜２の発明では、計量スプーンが内容物上に載置されたり、内容物に埋没するのを防止できるものの、容器への計量スプーンの着脱操作が煩雑である。
また、特許文献２〜３の発明では、容器本体の上端に計量スプーンを係止させるため、計量スプーンの一部が容器外に露出することとなり、容器本体と蓋体とを密閉する容器に付属される計量スプーンに適用できない。
そこで、本発明は、容器内に収容でき、かつ容器への着脱操作が容易な計量スプーンを目的とする。
【課題を解決するための手段】
【０００７】
本発明の計量スプーンは、容器に付属され、この容器に形成された突起部と嵌合する嵌合孔が形成され、器状の計量部と該計量部から延設された平板状の把持部とを備える計量スプーンにおいて、前記把持部には、その厚さ方向の一方に屈曲する屈曲部が形成され、前記嵌合孔は、前記屈曲部を含む領域に形成されていることを特徴とする。
前記把持部は、前記計量部の開口面の周縁部から、前記開口面と略平行に延び、次いで、前記計量部の底部側に向かって屈曲することが好ましく、前記嵌合孔は、前記把持部の延設方向が長手とされ、前記把持部の基端から先端に向かい漸次拡幅することが好ましい。
【発明の効果】
【０００８】
本発明の計量スプーンによれば、器状の計量部と該計量部から延設された平板状の把持部とを備え、前記把持部には、その厚さ方向の一方に屈曲する屈曲部が形成され、前記嵌合孔は、前記屈曲部を含む領域に形成されているため、容器内に収容でき、かつ容器への着脱操作が容易である。
本発明の計量スプーンによれば、前記把持部は、前記計量部の開口面の周縁部から、前記開口面と略平行に延び、次いで、前記計量部の底部側に向かって屈曲しているため、容器への着脱操作がより容易である。
前記嵌合孔は、前記把持部の延設方向が長手とされ、前記把持部の基端から先端に向かい漸次拡幅するため、容器への着脱操作がより容易である。
【図面の簡単な説明】
【０００９】
【図１】本発明の第一の実施形態にかかる計量スプーンの斜視図である。
【図２】（ａ）本発明の第一の実施形態にかかる計量スプーンの平面図である。（ｂ）本発明の第一の実施形態にかかる計量スプーンの背面図である。（ｃ）本発明の第一の実施形態にかかる右側面図である。
【図３】本発明の第一の実施形態にかかる計量スプーンを蓋体に嵌着した状態を示す斜視図である。
【図４】本発明の第一の実施形態にかかる計量スプーンを蓋体に嵌着した状態を示す側面図である。
【図５】（ａ）本発明の第二の実施形態にかかる計量スプーンの右側面図である。（ｂ）本発明の第二の実施形態にかかる計量スプーンの背面図である。
【図６】本発明の第三の実施形態にかかる計量スプーンの右側面図である。
【図７】本発明の第一の実施形態にかかる計量スプーンを蓋体に嵌着した状態を示す斜視図である。
【発明を実施するための形態】
【００１０】
（第一の実施形態）
本発明の第一の実施形態にかかる計量スプーンについて、以下に図１〜２を参照して説明する。
図１〜２に示す計量スプーン１は、被計量物を掬い取る器状の計量部２と、計量部２に延設された平板状の把持部３とを備えるものである。計量スプーン１は、衣料用の粒状洗浄剤、自動食器洗浄機用の粒状洗浄剤、粒状の調味料等の粉粒物、液状物やペースト状物等を収納する容器に付属され、容器に形成された突起部と嵌合されて容器に嵌着されるものである。計量スプーン１は、粒状物を収納する容器に付属させるものとして、好適である。
【００１１】
計量部２は、被計量物を掬い取って計量するものであり、平面視略四角形の底部２４と、底部２４の周縁に立設された側部２６とを備える有底略四角筒状とされ、側部２６の上端で囲われた面が開口面２２とされたものである。
【００１２】
把持部３は、開口面２２の周縁部から開口面２２と略平行に延びる前方把持部３２と、屈曲部３４を介して前方把持部３２に連接された後方把持部３６とを備えるものである。「略平行に延びる」とは、前方把持部３２における厚さ方向と直交する面（主面ということがある）が開口面２２と略平行であることを意味し、「略平行」とは、開口面２２と前方把持部３２の主面とが目視で略面一と認識できる状態を意味する。
後方把持部３６は、屈曲部３４を起点として、先端３３が底部２４側に向かうものとされている。即ち、把持部３は、開口面２２の周縁部から開口面２２と略平行に延び、屈曲部３４でその厚さＴ１方向に屈曲し、先端３３が底部２４側に向かう形状とされている。
後方把持部３６における開口面２２側の面には、凹部３８が形成されている。この凹部３８は、把持部３を把持した際に、計量スプーン１を安定した姿勢に保たせるものである。
把持部３には、凹部３８が形成された面の反対面（裏面）の周縁に、リブが形成されている。
【００１３】
把持部３には、屈曲部３４を含む領域に、把持部３の厚さ方向に貫通する嵌合孔４０が形成されている。図２（ａ）に示すように、把持部３には、嵌合孔４０の内方に突出する突出片４６が形成されている。嵌合孔４０は、突出片４６によって、基端３１寄りに形成された略真円形の主孔４２と、主孔４２と連通し、把持部３の延設方向を長手とする平面視略くさび形の副孔４４とで構成されている。副孔４４は、基端３１から先端３３に向かい漸次拡幅する形状とされ、嵌合孔４０は、全体として、基端３１から先端３３に向かい漸次拡幅する形状とされている。
【００１４】
計量スプーン１の材質は、従来公知の計量スプーンの材質と同様のものが挙げられ、例えば、ポリエチレン、ポリプロピレン等のポリオレフィン、ポリエチレンテレフタレート等のポリエステル等が挙げられる。計量スプーン１の材質は、掬い取った被計量物の量を確認できる点から、透明又は半透明の材質が好ましい。
【００１５】
計量スプーン１の長さＬ１は、付属させる容器の大きさ等を勘案して決定でき、衣料用の粒状洗浄剤を収納する容器に付属させる場合、例えば、９０〜１５０ｍｍとされる。
【００１６】
計量部２の幅Ｗ１は、被計量物の用量等を勘案して決定でき、被計量物が衣料用の粒状洗浄剤であれば、例えば、２０〜４０ｍｍとされる。
把持部３の最大幅Ｗ２は、使用性等を勘案して決定でき、例えば、１０〜３０ｍｍとされる。
【００１７】
前方把持部３２の主面Ｑ１と後方把持部３６の主面Ｑ２とのなす劣角の角度（即ち、屈曲部３４の屈曲角度）θ１は、大きすぎると計量スプーン１を容器から取り外しにくく、小さすぎると取扱いにくくなったり、容器に嵌着された状態で、後方把持部３６が内容物に接触したりするおそれがある。このため、屈曲角度θ１は、鈍角であることが好ましく、１３０〜１６５°がより好ましく、１３５〜１５０°がさらに好ましい。
【００１８】
屈曲部３４が形成される位置は、計量スプーン１の大きさや、把持部３の長さ等を勘案して決定でき、例えば、前方把持部３２の長さＬ２と後方把持部３６の長さＬ３との比（Ｌ２：Ｌ３）が４０：６０〜６０：４０となる範囲で適宜決定される。
【００１９】
嵌合孔４０の長さｌ１は、把持部３の長さや、屈曲角度θ１、容器に形成された突起部の高さ等を勘案して決定できる。
嵌合孔４０の最大幅、即ち副孔４４の最大幅ｗ１は、容器に形成された突起部の幅よりも大きいものとされる。
主孔４２の径は、容器に形成された突起部の大きさに応じて決定できる。
【００２０】
次に、計量スプーン１の使用方法について説明する。図３は、被計量物を収納した容器の蓋体１０に、計量スプーン１を嵌着させた状態を示す斜視図であり、図４は、蓋体１０に計量スプーン１を嵌着させた状態を示す側面図である。
【００２１】
図３に示すように、計量スプーン１を嵌着させる蓋体１０は、平面視略矩形の主壁部１６と、主壁部１６の周縁に設けられたフランジ１４と、ヒンジ部１２と、突起部１８とを備えるものである。この蓋体１０は、ヒンジ部１２により、被計量物を収納する容器本体（不図示）と開閉自在に接続されるものである。
突起部１８は、容器の内側となる面（蓋体内面）１７に突設された略円柱状のものであり、嵌合孔４０と嵌合して、蓋体１０に計量スプーン１を嵌着させるものである。本実施形態において、蓋体内面１７は、略面一とされている。
【００２２】
計量スプーン１を蓋体１０に嵌着させる方法について説明する。図４の計量スプーン１ａのように、先端３３を突起部１８に向け、かつ開口面２２及び前方把持部３２の主面を蓋体内面１７に当接させた状態とし、次いで、計量スプーン１をＸ方向に移動させる。本実施形態において、突起部１８の高さ（即ち、蓋体内面１７から突起部１８の突端までの長さ）ｈ１は、蓋体内面１７から嵌合孔４０の後端４５までの高さｈ２よりも低くなっている。加えて、突起部１８の直径は、嵌合孔４０の最大幅ｗ１（図２（ａ））よりも小さい。このため、計量スプーン１をＸ方向に移動させると、突起部１８が副孔４４内に挿入され、次いで主孔４２に挿入され、嵌合孔４０と突起部１８とが嵌合する。こうして、計量スプーン１のように、開口面２２及び前方把持部３２の主面が蓋体内面１７に当接し、かつ後方把持部３６が先端３３に向かうに従い、漸次、蓋体内面１７から離れる状態で蓋体１０に嵌着される。そして、蓋体１０を閉じても、計量スプーン１は、容器本体内に落下せず、内容物と離間した状態で容器内に保持される。
【００２３】
計量スプーン１で被計量物を計量する際には、後方把持部３６の先端３３寄りに手指を掛け、計量スプーン１を蓋体内面１７から引き離すように操作して、嵌合孔４０と突起部１８との嵌合を解除する。この際、後方把持部３６は、蓋体内面１７と離間しているため、使用者は、容易に把持部３を把持できる。
加えて、計量スプーン１は、蓋体１０に嵌着された状態では、内容物である被計量物に埋没したり、接触したりしていないため、使用者は、手指に被計量物を付着させることなく、把持部３を把持できる。
【００２４】
本実施形態によれば、把持部が屈曲しているため、計量スプーンを蓋体から取り外しやすい。加えて、把持部が屈曲しているため、容器本体内に落下した場合でも、内容物と離間した部分があるため、手指に内容物を付着させずに計量スプーンを取り出せる。
【００２５】
本実施形態によれば、把持部に嵌合孔が形成されているため、計量スプーンを蓋体に嵌着できる。加えて、嵌合孔が把持部の屈曲部に形成されているため、嵌合孔と突起部との嵌合が容易である。
【００２６】
本実施形態によれば、嵌合孔は、主孔に連接された副孔が、蓋体に形成された突起部を容易に主孔内に案内できるものである。加えて、副孔の最大幅が突起部の直径よりも大きいため、突起部をより容易に主孔内に案内できる。さらに、開口面及び前方把持部の主面が蓋体内面に当接した状態で、蓋体内面から嵌合孔の後端までの長さが、突起部の高さよりも高いため、突起部をさらに容易に主孔内に案内できる。
【００２７】
（第二の実施形態）
本発明の第二の実施形態にかかる計量スプーンについて、以下に図５を参照して説明する。図５（ａ）は、本実施形態の計量スプーン１００の右側面図であり、図５（ｂ）は、本実施形態の計量スプーン１００の背面図である。
なお、第一の実施形態と同一の構成には同一の符号を付してその説明を省略すると共に、主に第一の実施形態と異なる点を説明する。
【００２８】
計量スプーン１００は、計量部２と、開口面２２の周縁部から延設された把持部１０３とを備えるものであり、把持部１０３は、厚さ方向が開口面２２の臨む方向と同方向とされた平板状のものである。把持部１０３は、開口面２２の周縁部から開口面２２と略平行に延びる前方把持部１３２と、屈曲部１３４を介して前方把持部１３２に連接された後方把持部１３６とを備えるものである。後方把持部１３６は、屈曲部１３４を起点として、先端１３３が底部２４側に向かい湾曲し、かつ開口面２２の臨む方向に膨出した形状とされている。即ち、把持部１０３は、開口面２２の周縁部から開口面２２と略平行に延び、屈曲部１３４でその厚さ方向に屈曲し、先端１３３が底部２４側に向かう形状とされ、全体として、側面視略円弧状とされたものである。
【００２９】
基端１３１と屈曲部１３４を結んだ線Ｐ１と、先端１３３と屈曲部１３４とを結んだ線Ｐ２とのなす劣角の角度（即ち、屈曲部１３４の屈曲角度）θ２は、屈曲角度θ１と同様である。
【００３０】
（第三の実施形態）
本発明の第三の実施形態にかかる計量スプーンについて、以下に図６を参照して説明する。図６は、本実施形態の計量スプーン２００の右側面図である。
なお、第一の実施形態と同一の構成には同一の符号を付してその説明を省略すると共に、主に第一の実施形態と異なる点を説明する。
【００３１】
計量スプーン２００は、計量部２と、底部２４の周縁部から延設された把持部２０３とを備えるものであり、把持部２０３は、厚さ方向が開口面２２の臨む方向と同方向とされた平板状のものである。把持部２０３は、底部２４の周縁部から開口面２２と略平行に延びる前方把持部２３２と、屈曲部２３４を介して前方把持部２３２に連接された後方把持部２３６とを備えるものである。後方把持部２３６は、屈曲部２３４を起点として、先端２３３が開口面２２側に向かう形状とされている。即ち、把持部２０３は、基端２３１から開口面２２と略平行に延び、屈曲部２３４でその厚さ方向に屈曲し、先端２３３が開口面２２側に向かう形状とされている。
屈曲部２３４の屈曲角度は、第一の実施形態における屈曲角度θ１と同様である。
【００３２】
（その他の実施形態）
本発明は、上述の実施形態に限定されるものではない。
第一〜第三の実施形態では、把持部は、基端側（即ち、前方把持部）が計量部の開口面と略平行とされているが、本発明はこれに限定されず、例えば、把持部が計量部の側部の立設方向に延び、次いで、その厚さ方向に屈曲するものであってもよい。ただし、計量スプーンの使用性の観点から、把持部は、基端側が開口面と略平行であることが好ましい。
【００３３】
第一〜第三の実施形態では、把持部は、開口面の周縁部又は底部の周縁部から延設されているが、本発明はこれに限定されず、開口面と底部との中間位置から延設されていてもよい。ただし、計量スプーンを容器に嵌着した際の安定性の観点から、把持部は、開口面の周縁部又は底部の周縁部から延設されていることが好ましく、開口面の周縁部から延設されていることがより好ましい。
【００３４】
第一〜第三の実施形態では、把持部の基端側（前方把持部）が開口面と略平行とされ、次いで、厚さ方向に屈曲する形状とされているが、本発明はこれに限定されず、把持部が基端を起点として全体に湾曲するものであってもよい。この場合、屈曲部は、曲率が変わる位置である。ただし、容器に形成された突起部への着脱を容易にする観点、計量スプーンを容器に嵌着した際の安定性の観点から、把持部は、基端側に開口面と略平行な前方把持部を備えることが好ましい。
【００３５】
第一〜第三の実施形態では、嵌合孔が主孔と副孔とで構成されているが、本発明はこれに限定されず、突起部の形状に対応した形状の主孔のみで嵌合孔が構成されていてもよい。ただし、嵌合孔と突起部とをより容易に嵌合させる観点から、嵌合孔に副孔が形成されていることが好ましい。
【００３６】
第一〜第三の実施形態では、嵌合孔が、把持部の基端から先端に向かい漸次拡幅する形状とされているが、本発明はこれに限定されず、嵌合孔が、把持部の基端から先端に向かい漸次縮幅する形状であってもよいし、把持部の基端から先端に向かい略同等の幅であってもよい。ただし、嵌合孔と突起部とをより容易に嵌合させる観点から、嵌合孔が、把持部の基端から先端に向かい漸次拡幅又は漸次縮幅する形状であることが好ましい。加えて、計量スプーンを蓋体に嵌着させた際に、開口面が蓋体内面に当接する状態とするためには、把持部の基端から先端に向かい漸次拡幅する形状の嵌合孔が好ましい。
【００３７】
第一の実施形態では、蓋体内面から嵌合孔の後端までの長さが、突起部の高さよりも大きいものとされているが、本発明はこれに限定されず、蓋体内面から嵌合孔の後端までの長さが、突起部の高さと同等又は突起部の高さより小さくてもよい。ただし、嵌合孔と突起部との嵌合をより容易にする観点から、蓋体内面から嵌合孔の後端までの長さが、突起部の高さと同等又は突起部の高さよりも大きいことが好ましい。
【００３８】
第一〜第三の実施形態では、計量部が有底略四角筒状とされているが、本発明はこれに限定されず、例えば、計量部が有底略円筒状であってもよいし、平面視略四角形以外の有底略多角筒状であってもよい。
【００３９】
第一の実施形態では、計量スプーンが嵌着される蓋体に形成された突起部が、略円柱状とされているが、本発明はこれに限定されず、突起部の形状が、略角柱状とされていてもよい。
【００４０】
第一の実施形態では、突起部が蓋体に形成されているが、本発明はこれに限定されず、突起部が、容器本体の内面に形成されていてもよい。
【００４１】
第一の実施形態では、突起部が形成されている面が略面一とされているが、本発明はこれに限定されない。
例えば、図７に示す蓋体３１０のように、蓋体内面１７上にガイド部３２０が設けられていてもよい。ガイド部３２０が設けられていることで、計量スプーン１を蓋体３１０に嵌着させる際、前方把持部３２の主面を蓋体内面１７に当接させた状態で、計量スプーン１をガイド部３２０、３２０の間に置き、次いでＹ方向に移動させることで、嵌合孔４０と突起部１８との位置合わせをすることなく、容易に嵌合孔４０と突起部１８とを嵌合できる。
【００４２】
第一及び第二の実施形態では、把持部に凹部が形成されているが、本発明はこれに限定されず、把持部に凹部が形成されていなくてもよい。
【実施例】
【００４３】
以下、実施例を示して本発明を詳細に説明するが、本発明は以下の記載によって限定されるものではない。
【００４４】
（実施例１〜４）
表１の仕様に従い、第一の実施形態の計量スプーン１と同様の計量スプーン（ＰＰ製）を作製した。この計量スプーンについて、蓋体への着脱試験を行った。
【００４５】
（比較例１）
屈曲部を形成しない以外は、実施例１と同様にして計量スプーンを作製した。この計量スプーンについて、蓋体への着脱試験を行った。
【００４６】
（評価方法）
＜着脱試験＞
各例の計量スプーンを突起部（円柱状、直径２．９５ｍｍ、高さ４．５ｍｍ）が形成された蓋体に嵌着させ、その後、蓋体から計量スプーンを取り外し、下記評価基準に従い評価した。
【００４７】
≪評価基準≫
◎：計量スプーンの着脱が非常に容易である。
○：計量スプーンの着脱が容易である。
×：計量スプーンの着脱が煩雑である。
【００４８】
【表１】
2013083512.tif 000003
【００４９】
表１に示すように、本発明を適用した実施例１〜４は、着脱試験の結果が「○」又は「◎」であった。中でも、実施例３〜４は、実施例１〜２に比べて嵌着操作がより容易であった。実施例３〜４は、屈曲角度が小さいため、開口面と前方把持部とを蓋体内面に当接させた際に、蓋体内面から嵌合孔の後端までの高さが、突起部の高さよりも十分に高くなり、嵌合孔と突起部との嵌合が容易になったためである。
一方、比較例１は、屈曲部が形成されていないため、嵌合孔と突起部との位置合わせが煩雑であった。加えて、比較例１は、計量スプーンを蓋体に嵌着させた状態では、把持部全体が蓋体内面に当接していたため、把持部を把持するのが困難であり、蓋体から計量スプーンを取り外すのが煩雑であった。
これらの結果から、本発明を適用することで、容器内に収容でき、かつ容器への着脱操作が容易な計量スプーンを提供できることが判った。
【符号の説明】
【００５０】
１、１００、２００  計量スプーン
２  計量部
３、１０３、２０３  把持部
１８  突起部
２２  開口面
２４  底部
３１、１３１、２３１  基端
３３、１３３、２３３  先端
３４、１３４、２３４  屈曲部
４０  嵌合孔
【図１】
2013083512.tif 000004
【図２】
2013083512.tif 000005
【図３】
2013083512.tif 000006
【図４】
2013083512.tif 000007
【図５】
2013083512.tif 000008
【図６】
2013083512.tif 000009
【図７】
2013083512.tif 000010